(57)【特許請求の範囲】
【請求項１】
機器筐体の上部にモニター部が収納され下部前面側に操作パネルを備え、前記モニター部が機器筐体中を前後方向にスライド可能にしたスライド板に枢支部を介して連結され、該モニター部が前記枢支部を機器筐体の前面に突出させて引き出された開状態で表示面を前方に向けた可視状態に回動されるようにしている車載用モニター装置の開閉機構において、
前記操作パネルは裏面側から延長された取り付け部がスライドレールに支持されて機器筐体中を前後方向にスライド可能に構成し、前記取り付け部の後端に引っ張りばねを設けて後方向に移動すべく付勢し、
前記収納の状態において前記操作パネルの操作面をモニター部の前端とほぼ同一位置になして係止させる収納状態係止手段と、
前記スライド板の枢支部近傍に設けられ、前記枢支部が機器筐体の前面に突出するまでは前記操作パネルと係合せず、前記枢支部を機器筐体の前面に突出させた状態で前記係止の状態にある操作パネルと係合を開始させ、前記操作パネルを前記引っ張りばねのばね力に抗して前方向に移動を開始させて、操作パネルの操作面と枢支部とがほぼ同一位置をなした状態で開状態に至るまでその係合状態を保持させる開放状態係合手段とを備えた、
ことを特徴とする車載用モニター装置の開閉機構。
【発明の詳細な説明】
【０００１】
【発明の属する技術分野】
本発明は、車載用モニター装置の開閉機構に関し、特に、モニター部が機器筐体の上部に収納され下部前面側に操作パネルを備えている車載用モニター装置を収納の状態と開状態とに切り替え作動させる開閉機構に関する。
【０００２】
【従来の技術】
この種の車載用モニター装置の開閉機構が、特開平８−２５８６３２号公報等に記載されている。図３はこのような従来の車載用モニター装置の開状態を模式的に示した側面図、図４はその収納状態を模式的に示した側面図である。各図において、１はこのモニター装置の機器筐体で、自動車中において、運転者の目の位置よりも低い所にあるダッシュボード２の所定の収納スペースに嵌め込まれている。３はテレビ等のモニター部で、枢支部４を介してスライド板５に連結されて、機器本体１の上部に収納されている。６は操作パネルで、機器本体１の下部前面側に取り付けられていて、その前面に、操作ボタン７と操作指定状態を示す液晶表示部８を備えている。９はこのモニター装置の制御回路を装着しているプリント板である。
【０００３】
上記のスライド板５は駆動装置によってスライドレール（いずれも図示せず）上を前後方向にスライド可能にしている。操作ボタン７によってこのモニター装置を使用すべく操作指定されると、スライド板５がスライドされてモニター部３が前方に引き出される。そして枢支部４が機器本体１の前面よりも外側に出た状態以降に、図示しない回動作動機構によってその表示部６が同図の時計方向に回動されて、図４に示すように、モニター部３は、その表示面を前方に向けて、画面が運転者から可視可能にし且つ見易いように斜め上方に向けた姿勢になる。
【０００４】
【発明が解決しようとする課題】
上記のように、機器筐体の上部にモニター部が収納され、その下部前面側に操作パネルを備えていて、モニター部が引き出された開状態で回動されるようにしているものでは、その回動のための枢支部が機器筐体の前面から突き出した状態で回動作動させるので、図４に斜線を付して示すように、運転者Ａからの可視領域が枢支部４の周辺にあるモニター部３の端縁部等に遮られて、液晶表示部８等が良く見えないので操作に支障があった。
【０００５】
本発明は、上記の課題を解決するために、モニター部が収納状態と開状態との何れの場合においても操作パネルが見易く、そして操作し易いような車載用モニター装置の開閉機構を提供することを目的とする。
【０００６】
【課題を解決するための手段】
上記目的達成のために請求項１記載の発明は、機器筐体の上部にモニター部が収納され下部前面側に操作パネルを備え、前記モニター部が機器筐体中を前後方向にスライド可能にしたスライド板に枢支部を介して連結され、該モニター部が前記枢支部を機器筐体の前面に突出させて引き出された開状態で表示面を前方に向けた可視状態に回動されるようにしている車載用モニター装置の開閉機構において、前記操作パネルは裏面側から延長された取り付け部がスライドレールに支持されて機器筐体中を前後方向にスライド可能に構成し、前記取り付け部の後端に引っ張りばねを設けて後方向に移動すべく付勢し、前記収納の状態において前記操作パネルの操作面をモニター部の前端とほぼ同一位置になして係止させる収納状態係止手段と、前記スライド板の枢支部近傍に設けられ、前記枢支部が機器筐体の前面に突出するまでは前記操作パネルと係合せず、前記枢支部を機器筐体の前面に突出させた状態で前記係止の状態にある操作パネルと係合を開始させ、前記操作パネルを前記引っ張りばねのばね力に抗して前方向に移動を開始させて、操作パネルの操作面と枢支部とがほぼ同一位置をなした状態で開状態に至るまでその係合状態を保持させる開放状態係合手段とを備えた、ことを特徴とする。
【０００７】
【発明の実施の形態】
以下、本発明の好ましい実施の形態について添付図面を参照しつつ説明する。図１は本発明の車載用モニター装置の開状態を模式的に示した側面図、図２はその収納状態を模式的に示した側面図である。各図において、図３又は図４と共通の部分には同一の符号を付して示し、その説明は適宜に省略する。モニター部３は、枢支部４を介してスライド板１１に連結されて、機器本体１の上部に収納されている。１２は操作パネルで、機器本体１の下部に取り付けられている。
【０００８】
操作パネル１２は、裏面側から延長された取り付け部１３がスライドレール１４に支持されていて、前後方向にスライド可能にしている。そして取り付け部１３の後端に引っ張りばね１５が取り付けられていて、操作パネル１２を後方向に移動させるべく付勢している。１６は操作パネル１２を収納位置に係止させる係止部で、操作パネル１２の裏面側に備えていて、モニター部３が図１に示すように収納されたとき、引っ張りばね１５の付勢に抗して、機器本体１の前面部に当接させて操作パネル１２を係止させる。この係止により、操作パネル１２の操作面がモニター部３の前端とほぼ同一位置になるように各部の位置関係が設定されている。上記の引っ張りばね１５と係止部１６とは収納状態係止手段をなす。
【０００９】
スライド板１１は開放状態係合手段としての係合レバー１７を備えている。該係合レバー１７は、モニター部３が収納状態から開状態に至る過程において、係止部１６によって図１に示すように係止されている状態の操作パネル１２の裏面と係合して、操作パネル１２を前方に引き出すようにしている。そして係合レバー１７の取り付け位置は、その係合面が操作パネル１２の裏面と係合した状態においてスライド板１１の前端と操作パネル１２の前面と同等位置になるように設定されている。
【００１０】
以上の構成によるこのモニター装置は、図１に示すように収納されている状態においては、モニター部３の前端と操作パネル１２の前面とがほぼ同一位置になっている。よって運転者がモニター装置の前方の斜め方向から操作パネル１２を見ながらこれを操作するときに、その視野がモニター部３に遮られることがないので、支障なく操作し得る。
【００１１】
モニター装置を使用状態にするために、図１に示す収納の状態で操作パネル１２が操作されると、該状態から開状態に至る過程において前記係止されている操作パネル１２の裏面に係合レバー１７が係合して以降、開状態に至るまでその係合状態が保持される。そしてモニター部３が前方に引き出されて図２に示すように開状態になると、モニター部３が運転者Ａから見易い姿勢になると共に、操作パネル１２を見るための視野Ｂがモニター部３に遮られることがないので、支障なく操作し得る。
【００１２】
【発明の効果】
本発明によれば、モニター部が機器筐体中を前後方向にスライド可能にしたスライド板に枢支部を介して連結されて機器筐体の上部に収納され、操作パネルを下部前面側に備えて機器筐体に対して前後方向にスライド可能にしていて、操作パネルの操作面とモニター部の前端とがほぼ同一位置になっている状態で、収納状態係止手段によって該操作パネルを係止させ、収納された状態から開状態に至る過程において操作パネルの操作面と枢支部とがほぼ同一位置をなした状態で、開放状態係合手段によって、前記係止の状態にある操作パネルと係合させて開状態に至るまでその係合状態が保持されるようにしたので、操作パネルが見易く、そして上記の収納された状態又は開状態において、運転者が操作パネルを操作するときに、その視野がモニター部に遮られることなく、操作し易い。
【図面の簡単な説明】
【図１】本発明の車載用モニター装置の開状態を模式的に示した側面図である。
【図２】図１に示す車載用モニター装置の収納状態を模式的に示した側面図である。
【図３】従来の車載用モニター装置の開状態を模式的に示した側面図である。
【図４】図３に示す車載用モニター装置の収納状態を模式的に示した側面図である。
【符号の説明】
１  機器本体
２  ダッシュボード
３  モニター部
４  枢支部
７  操作ボタン
８  液晶表示部
１１  スライド板
１２  操作パネル
１３  取り付け部
１４  スライドレール
１５  引っ張りばね
１６  係止部
１７  係合レバー
【図１】
0004324291.tif 000002
【図２】
0004324291.tif 000003
【図３】
0004324291.tif 000004
【図４】
0004324291.tif 000005